(57)【要約】  低温物流システムは、低温での温度管理が必要な貨物の発注を行うオーダー管理装置と、オーダー管理装置から受信した発注情報に基づいて、生産する貨物の量を決定する生産管理装置と、外郭が断熱箱体で構成され冷凍装置を内蔵した、輸送用車両に積み降ろし自在の冷凍コンテナと、を備え、冷凍コンテナは、生産された貨物がバンニングされ、輸送用車両に積まれて配送されるものであり、輸送用車両によって輸送されている間、輸送用車両が備えた電源から冷凍コンテナに電力が供給される。
2020161763.tif 000002
【特許請求の範囲】
【請求項１】
低温での温度管理が必要な貨物の発注を行うオーダー管理装置と、
前記オーダー管理装置から受信した発注情報に基づいて、生産する前記貨物の量を決定する生産管理装置と、
外郭が断熱箱体で構成され冷凍装置を内蔵した、輸送用車両に積み降ろし自在の冷凍コンテナと、を備え、
前記冷凍コンテナは、
生産された前記貨物がバンニングされ、前記輸送用車両に積まれて配送されるものであり、
前記輸送用車両によって輸送されている間、前記輸送用車両が備えた電源から前記冷凍コンテナに電力が供給される
低温物流システム。
【請求項２】
前記冷凍コンテナは、バックアップ用電源を備えた
請求項１に記載の低温物流システム。
【請求項３】
前記冷凍コンテナは、前記貨物の発注元あるいは仮置き場に配送され、前記発注元での荷受けが困難である場合、前記仮置き場に配置される
請求項１または２に記載の低温物流システム。
【請求項４】
自然エネルギーで電力を生成する発電装置を備え、
前記冷凍コンテナが前記仮置き場に配置されている間、前記発電装置から前記冷凍コンテナに電力が供給される
請求項３に記載の低温物流システム。
【請求項５】
出荷された前記貨物の配送状況を管理する物流管理装置を備え、
前記冷凍コンテナは、現在の位置情報を前記物流管理装置に発信する位置情報装置を備えた
請求項１〜４のいずれか一項に記載の低温物流システム。
【請求項６】
前記冷凍コンテナは、前記物流管理装置と通信を行う通信部を備えた
請求項５に記載の低温物流システム。
【請求項７】
前記物流管理装置は、前記冷凍コンテナの庫内温度を設定する機能を備えている
請求項６に記載の低温物流システム。
【請求項８】
前記冷凍コンテナの温度情報、位置情報、および、流通途中の在庫情報を有するサーバーを備え、
前記サーバーの情報は、前記オーダー管理装置、前記物流管理装置、および、生産管理装置からアクセス可能である
請求項５〜７のいずれか一項に記載の低温物流システム。
【請求項９】
前記冷凍コンテナは、複数段に積層可能である
請求項１〜８のいずれか一項に記載の低温物流システム。
【請求項１０】
前記生産管理装置は、
過去の販売出荷実績および気象条件のうち少なくとも一方に基づいて、
前記オーダー管理装置に対して前記貨物の発注を促す情報を送信する
請求項１〜９のいずれか一項に記載の低温物流システム。
【請求項１１】
前記生産管理装置は、
過去の配送ルートにおける交通状況に関する情報に基づいて決定された配送ルートを前記輸送用車両に対して送信する
請求項１〜１０のいずれか一項に記載の低温物流システム。
【発明の詳細な説明】
【技術分野】
【０００１】
本発明は、冷凍コンテナを用いた低温物流システムに関するものである。
【背景技術】
【０００２】
従来、加工食品など低温での温度管理が必要な貨物（以下、低温貨物と称する）は、加工場、低温倉庫、店舗などを経由して消費者の手元に届く。そして、低温貨物の輸送には、冷凍庫が搭載されたトラックなどの輸送用車両が用いられる（例えば、特許文献１参照）。また、低温貨物が流通経路の各地点を輸送用車両で移動する際には、その都度フォークリフトなどによって積み替えが行われる。
【先行技術文献】
【特許文献】
【０００３】
【特許文献１】特開平１０−１０３７９４号公報
【発明の概要】
【発明が解決しようとする課題】
【０００４】
従来では、フォークリフトなどによって低温貨物の積み替えが行われる際に、低温貨物は常温にさらされる。そのため、低温貨物の温度上昇による冷却ロスが発生してしまうという課題があった。【０００５】
本発明は、以上のような課題を解決するためになされたもので、冷却ロスを抑制することができる冷凍コンテナを用いた低温物流システムを提供することを目的としている。
【課題を解決するための手段】
【０００６】
本発明に係る低温物流システムは、低温での温度管理が必要な貨物の発注を行うオーダー管理装置と、前記オーダー管理装置から受信した発注情報に基づいて、生産する前記貨物の量を決定する生産管理装置と、外郭が断熱箱体で構成され冷凍装置を内蔵した、輸送用車両に積み降ろし自在の冷凍コンテナと、を備え、前記冷凍コンテナは、生産された前記貨物がバンニングされ、前記輸送用車両に積まれて配送されるものであり、前記輸送用車両によって輸送されている間、前記輸送用車両が備えた電源から前記冷凍コンテナに電力が供給される。
【発明の効果】
【０００７】
本発明に係る低温物流システムによれば、低温での温度管理が必要な貨物の輸送に冷凍コンテナを用いており、該冷凍コンテナが輸送用車両に積まれて配送されるため、貨物を目的地に配送する際に、貨物の積み替えを行わずに済む。また、冷凍コンテナが輸送用車両によって輸送されている間、輸送用車両から電力が供給されるため、輸送用車両による輸送中、冷凍コンテナの庫内を冷却することができる。その結果、貨物を常温にさらすことなく目的地に配送することができるため、低温貨物の温度上昇による冷却ロスを抑制することができる。
【図面の簡単な説明】
【０００８】
【図１】本発明の実施の形態に係る低温物流システムの構成図である。
【図２】本発明の実施の形態に係る低温物流システムに用いられる冷凍コンテナを示す図である。
【図３】本発明の実施の形態に係る低温物流システムの機能ブロック図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１０】
実施の形態．
図１は、本発明の実施の形態に係る低温物流システムの構成図である。図２は、本発明の実施の形態に係る低温物流システムに用いられる冷凍コンテナ１０を示す図である。図３は、本発明の実施の形態に係る低温物流システムの機能ブロック図である。
【００１１】
本実施の形態に係る低温物流システムは、図１〜図３に示すように、冷凍コンテナ１０と、オーダー管理装置２１と、物流管理装置２２と、生産管理装置２３と、サーバー２４とで構成されている。また、低温物流システムは、冷凍コンテナ１０が電力を受け取ることができない環境にある場合に備えて、発電装置７を備えることが好ましい。
【００１２】
冷凍コンテナ１０は、図２および図３に示すように、外郭が断熱箱体で構成され、冷凍（または冷蔵）装置１１を内蔵し、保冷機能を有するものである。この冷凍コンテナ１０は、輸送用車両５に積み降ろし自在であり、輸送用車両５によって目的地に配送される際に、フォークリフト４などを用いて積み降ろしが行われる。ここで、輸送用車両５は、車および列車などである。
【００１３】
また、冷凍コンテナ１０は、バックアップ用電源（ＵＰＳ）として用いられるバッテリー１２を備えている。また、冷凍コンテナ１０は、タブレッまたはＰＣ、専用リモコンなどと通信を行う通信部１３を備えており、タブレットまたはＰＣ、専用リモコンなどで庫内温度の設定が可能となっている。通信部１３は、例えば、Ｗｉ−Ｆｉ（登録商標）などの通信規格に従った通信を行う通信回路により実現される。なお、冷凍コンテナ１０は、庫内温度の設定が可能な操作部（図示せず）を備えていてもよい。
【００１４】
また、冷凍コンテナ１０は、ＧＰＳ機能を備え、現在の位置情報を物流管理装置２２に発信する位置情報装置１４を備えている。また、冷凍コンテナ１０は、サーミスタなどで構成され庫内温度を検知する温度検知部１５を備えている。
【００１５】
また、冷凍コンテナ１０は、輸送中の落下を防止するために、輸送用車両５に固定するための緊締装置１６を備えている。なお、緊締装置１６の形状に関しては問わない。また、冷凍コンテナ１０は、底面が同一形状または平面形状を有することにより、複数段に積層可能になっている。
【００１６】
発電装置７は、ソーラーパネルなどの自然エネルギーであり、冷凍コンテナ１０に電力を供給するものである。
【００１７】
冷凍コンテナ１０、オーダー管理装置２１、物流管理装置２２、生産管理装置２３、および、サーバー２４は、インターネット回線３０を通じて互いに通信が可能となっている。
【００１８】
オーダー管理装置２１は、タブレットまたはＰＣなどの端末であり、スーパー、コンビニエンスストアなどの各店舗２に配置され、店舗２での加工食品など低温貨物の発注状況を管理するものである。生産管理装置２３は、タブレットまたはＰＣなどの端末であり、冷凍食品工場などの加工場１に配置され、加工場１で生産する低温貨物の生産状況を管理するものである。物流管理装置２２は、タブレットまたはＰＣなどの端末であり、運送会社（図示せず）に配置され、加工場１から各店舗２に出荷される低温貨物の流通状況を管理するものである。また、物流管理装置２２は、冷凍装置１１を制御して冷凍コンテナ１０の庫内温度を設定する機能を備えている。
【００１９】
サーバー２４は、各店舗２の発注履歴、各店舗２の過去の販売出荷実績に関する情報、過去の配送ルートにおける交通状況、および、インターネット回線３０から取得した気象情報などを有するものである。なお、サーバー２４は、例えば保管室に配置されるが、配置場所については限定されない。また、サーバー２４は、各冷凍コンテナ１０の温度情報、位置情報、さらには流通途中の在庫情報を有している。そして、サーバー２４の情報は、オーダー管理装置２１、物流管理装置２２、および、生産管理装置２３からアクセス可能であり、それらによって共有されるようになっている。そのため、無駄な生産および流通を抑制することができる。
【００２０】
次に、本実施の形態に係る低温物流システムにおける低温貨物の流通について図１を用いて説明する。
各店舗２では、オーダー管理装置２１から生産管理装置２３に対して低温貨物の発注を行う。加工場１では、生産管理装置２３が受信した各店舗２からの受注量に基づいて、必要な量の低温貨物の生産が行われる。加工場１にて生産された低温貨物は、生産管理装置２３が受信した発注量の情報に基づいて、必要な量が冷凍コンテナ１０へ低温状態を維持したままバンニングされる。そして、低温貨物がバンニングされた冷凍コンテナ１０は、輸送用車両５に積載される。ここで、輸送用車両５は、冷凍コンテナ１０に電力を供給するための電源を備えており、冷凍コンテナ１０には、輸送用車両５の電源から電力が供給されるため、冷凍コンテナ１０内は、所定の温度に冷却される。その後、冷凍コンテナ１０は、低温貨物を発注した各店舗２へ配送される。
【００２１】
店舗２では、物流管理装置２２の情報に基づいて低温貨物の受け取り、つまり荷受けを行う。しかし、仮に店舗２での荷受けが困難である場合は、店舗２近隣に設けられた仮置き場３に冷凍コンテナ１０が一時的に配置される。このとき、冷凍コンテナ１０には仮置き場３に設けられた発電装置７から電力が供給され、庫内が所定の温度に冷却されるため、冷凍コンテナ１０自体が低温倉庫の役割を担う。そして、店舗２での荷受けが可能となったら、仮置き場３に配置されている冷凍コンテナ１０は仮置き場３から店舗２に配送される。
【００２２】
なお、生産管理装置２３がＡＩ（人工知能）を備えた構成としてもよい。その場合、ＡＩは、サーバー２４が有している他店舗を含めた過去の販売出荷実績に関する情報、過去の配送ルートにおける交通状況、および、インターネット回線３０から取得した気象情報などに基づいて、適切な情報を店舗２などに送信する。
【００２３】
例えば、ＡＩは、他店舗を含めた過去の販売出荷実績に関する情報および気象情報に基づいて、「他店舗ではある商品が売れている」、あるいは、「この時期ではある商品が売れている」、などの情報を店舗２に送信する。そうすることで、店舗２からの受注の増加を引き出すことができる。
【００２４】
また、例えば、ＡＩは、サーバー２４が有している他店舗を含めた過去の販売出荷実績に関する情報および気象情報に基づいて、「この時期ではある商品が売れたため、その材料を多めに用意した方がよい」、などの情報を出力する。そうすることで、加工場１で必要な在庫を準備したりすることができる。つまり、ＡＩが、過去の販売出荷実績および気象条件などから低温貨物の発注量を予測するようにしてもよい。
【００２５】
また、例えば、ＡＩは、サーバー２４が有している過去の配送ルートにおける交通状況に関する情報に基づいて、最適な配送ルートを決定し、決定された配送ルートを輸送用車両５に対して送信する。そうすることで、輸送用車両５は過去の交通状況に基づいて最適な配送ルートで低温貨物を配送することができ、加工場１から目的地までの配送効率を向上させることができるとともに、配送ロスを削減することができる。
【００２６】
以上、本実施の形態に係る低温物流システムは、低温での温度管理が必要な貨物の発注を行うオーダー管理装置２１と、オーダー管理装置２１から受信した発注情報に基づいて、生産する貨物の量を決定する生産管理装置２３と、を備えている。また、外郭が断熱箱体で構成され冷凍装置１１を内蔵した、輸送用車両５に積み降ろし自在の冷凍コンテナ１０を備えている。そして、冷凍コンテナ１０は、生産された貨物がバンニングされ、輸送用車両５に積まれて配送されるものである。また、輸送用車両５によって輸送されている間、輸送用車両５が備えた電源から冷凍コンテナ１０に電力が供給される。
【００２７】
本実施の形態に係る低温物流システムによれば、低温での温度管理が必要な貨物の輸送に冷凍コンテナ１０を用いており、輸送用車両５に積まれて配送されるため、貨物を目的地に配送する際に、貨物の積み替えを行わずに済む。また、冷凍コンテナ１０は、輸送用車両５によって輸送されている間、輸送用車両５が備えた電源から電力が供給されるため、輸送用車両５による輸送中、庫内を冷却することができる。その結果、貨物を常温にさらすことなく目的地に配送することができるため、低温貨物の温度上昇による冷却ロスを抑制することができる。また、低温貨物と外気温度との温度差によって生じる結露による品質低下、および、梱包のふやけまたは貨物の融解による廃棄処分を抑制することができる。さらには、貨物の積み替え作業を少なくすることができるため、省エネ化、工数の削減、および、省力化が可能となる。
【００２８】
また、本実施の形態に係る低温物流システムにおいて、冷凍コンテナ１０は、バックアップ用電源を備えたものである。本実施の形態に係る低温物流システムによれば、冷凍コンテナ１０がバックアップ用電源を備えているため、停電などにより冷凍コンテナ１０に一時的に電力供給がされなかった場合でも、庫内温度を所定の温度に保つことができる。
【００２９】
また、本実施の形態に係る低温物流システムにおいて、冷凍コンテナ１０は、貨物の発注元あるいは仮置き場３に配送され、発注元での荷受けが困難である場合、仮置き場３に配置される。本実施の形態に係る低温物流システムによれば、発注元での荷受けが困難であっても、冷凍コンテナ１０を発注元近隣に設けられた仮置き場３に配置することで、配送ロスを削減することができる。
【００３０】
また、本実施の形態に係る低温物流システムにおいて、自然エネルギーで電力を生成する発電装置７を備え、冷凍コンテナ１０が仮置き場３に配置されている間、発電装置７から冷凍コンテナ１０に電力が供給される。
【００３１】
本実施の形態に係る低温物流システムによれば、冷凍コンテナ１０が仮置き場３に配置されている間、発電装置７から冷凍コンテナ１０に電力が供給されるため、冷凍倉庫を設けることなく、貨物を所定の温度に保ったまま保管することができる。また、冷凍倉庫は大掛かりな設備が必要となるため、郊外に建てることが多く、都心の店舗２からは遠くなってしまう。しかし、本実施の形態に係る低温物流システムによれば、空きスペースがあればよいため、店舗２の近くで貨物を所定の温度に保ったまま保管することができ、配送ロスを削減することができる。また、冷凍倉庫などの大掛かりな設備が不要となるため、設備投資のコストを削減することができる。
【００３２】
また、本実施の形態に係る低温物流システムは、出荷された貨物の配送状況を管理する物流管理装置２２を備え、冷凍コンテナ１０は、現在の位置情報を物流管理装置２２に発信する位置情報装置１４を備えたものである。本実施の形態に係る低温物流システムによれば、物流管理装置２２を備え、現在の位置情報を冷凍コンテナ１０の位置情報装置１４から受信するため、加工場１から目的地までの配送効率を向上させることができる。
【００３３】
また、本実施の形態に係る低温物流システムにおいて、冷凍コンテナ１０は、物流管理装置２２と通信を行う通信部１３を備えている。また、物流管理装置２２は、冷凍コンテナ１０の庫内温度を設定する機能を備えている。本実施の形態に係る低温物流システムによれば、物流管理装置２２から遠隔で冷凍コンテナ１０の庫内温度を設定することができる。そのため、冷凍コンテナ１０が仮置き場３に配置されている間、いたずらなどによって庫内温度の設定が変更されてしまうのを抑制することができる。
【００３４】
また、本実施の形態に係る低温物流システムは、冷凍コンテナ１０の温度情報、位置情報、および、流通途中の在庫情報を有するサーバー２４を備えている。そして、サーバー２４の情報は、オーダー管理装置２１、物流管理装置２２、および、生産管理装置２３からアクセス可能である。本実施の形態に係る低温物流システムによれば、サーバー２４の情報は、オーダー管理装置２１、物流管理装置２２、および、生産管理装置２３で共有されるため、無駄な生産および流通を抑制することができる。
【００３５】
また、本実施の形態に係る低温物流システムにおいて、冷凍コンテナ１０は、複数段に積層可能である。本実施の形態に係る低温物流システムによれば、冷凍コンテナ１０は、複数段に積層可能であるため、冷凍コンテナ１０を輸送する際、および、冷凍コンテナ１０を保管する際など、省スペースで済む。
【００３６】
また、本実施の形態に係る低温物流システムにおいて、生産管理装置２３は、過去の販売出荷実績および気象条件のうち少なくとも一方に基づいて、オーダー管理装置２１に対して貨物の発注を促す情報を送信するものである。本実施の形態に係る低温物流システムによれば、適切なタイミングで適切な情報を店舗２に送信することで、店舗２からの受注の増加を引き出すことができる。
【００３７】
また、本実施の形態に係る低温物流システムにおいて、生産管理装置２３は、過去の配送ルートにおける交通状況に関する情報に基づいて決定された配送ルートを輸送用車両５に対して送信するものである。本実施の形態に係る低温物流システムによれば、輸送用車両５に対して最適な配送ルートを送信することができるため、加工場１から目的地までの配送効率を向上させることができるとともに、配送ロスを削減することができる。
【符号の説明】
【００３８】
１  加工場、２  店舗、３  仮置き場、４  フォークリフト、５  輸送用車両、７  発電装置、１０  冷凍コンテナ、１１  冷凍装置、１２  バッテリー、１３  通信部、１４  位置情報装置、１５  温度検知部、１６  緊締装置、２１  オーダー管理装置、２２  物流管理装置、２３  生産管理装置、２４  サーバー、３０  インターネット回線。
【図１】
2020161763.tif 000003
【図２】
2020161763.tif 000004
【図３】
2020161763.tif 000005
【手続補正書】
【提出日】令和3年2月1日(2021.2.1)
【手続補正１】
【補正対象書類名】明細書
【補正対象項目名】０００６
【補正方法】変更
【補正の内容】
【０００６】
本発明に係る低温物流システムは、低温での温度管理が必要な貨物の発注を行うオーダー管理装置と、前記オーダー管理装置から受信した発注情報に基づいて、生産する前記貨物の量を決定する生産管理装置と、外郭が断熱箱体で構成され冷凍装置を内蔵した、輸送用車両に積み降ろし自在の冷凍コンテナと、出荷された前記貨物の配送状況を管理する物流管理装置と、を備え、前記冷凍コンテナは、生産された前記貨物がバンニングされ、前記輸送用車両に積まれて配送され、前記輸送用車両によって輸送されている間、前記輸送用車両が備えた電源から電力が供給されるものであり、現在の位置情報を前記物流管理装置に発信する位置情報装置と、前記物流管理装置と通信を行う通信部と、を備え、前記物流管理装置は、前記冷凍コンテナの庫内温度を設定する機能を備えている。
【手続補正２】
【補正対象書類名】特許請求の範囲
【補正対象項目名】全文
【補正方法】変更
【補正の内容】
【特許請求の範囲】
【請求項１】
低温での温度管理が必要な貨物の発注を行うオーダー管理装置と、
前記オーダー管理装置から受信した発注情報に基づいて、生産する前記貨物の量を決定する生産管理装置と、
外郭が断熱箱体で構成され冷凍装置を内蔵した、輸送用車両に積み降ろし自在の冷凍コンテナと、
出荷された前記貨物の配送状況を管理する物流管理装置と、を備え、
前記冷凍コンテナは、
生産された前記貨物がバンニングされ、前記輸送用車両に積まれて配送され、
前記輸送用車両によって輸送されている間、前記輸送用車両が備えた電源から電力が供給されるものであり、
現在の位置情報を前記物流管理装置に発信する位置情報装置と、
前記物流管理装置と通信を行う通信部と、を備え、
前記物流管理装置は、
前記冷凍コンテナの庫内温度を設定する機能を備えている
低温物流システム。
【請求項２】
前記冷凍コンテナは、バックアップ用電源を備えた
請求項１に記載の低温物流システム。
【請求項３】
前記冷凍コンテナは、前記貨物の発注元あるいは仮置き場に配送され、前記発注元での荷受けが困難である場合、前記仮置き場に配置される
請求項１または２に記載の低温物流システム。
【請求項４】
自然エネルギーで電力を生成する発電装置を備え、
前記冷凍コンテナが前記仮置き場に配置されている間、前記発電装置から前記冷凍コンテナに電力が供給される
請求項３に記載の低温物流システム。
【請求項５】
前記冷凍コンテナの温度情報、位置情報、および、流通途中の在庫情報を有するサーバーを備え、
前記サーバーの情報は、前記オーダー管理装置、前記物流管理装置、および、生産管理装置からアクセス可能である
請求項１〜４のいずれか一項に記載の低温物流システム。
【請求項６】
前記冷凍コンテナは、複数段に積層可能である
請求項１〜５のいずれか一項に記載の低温物流システム。
【請求項７】
前記生産管理装置は、
過去の販売出荷実績および気象条件のうち少なくとも一方に基づいて、
前記オーダー管理装置に対して前記貨物の発注を促す情報を送信する
請求項１〜６のいずれか一項に記載の低温物流システム。
【請求項８】
前記生産管理装置は、
過去の配送ルートにおける交通状況に関する情報に基づいて決定された配送ルートを前記輸送用車両に対して送信する
請求項１〜７のいずれか一項に記載の低温物流システム。
【国際調査報告】
2020161763.tif 000006
2020161763.tif 000007
2020161763.tif 000008
2020161763.tif 000009